(57)【要約】      （修正有）【課題】使用上の快適さ及び利便性を向上させ、マスクの上下左右の部位をより顔に密着させることのできるマスクにおける支持構造を提供する。【解決手段】マスクには、左連結部と、右連結部と、被覆部が形成され、被覆部には複数の折り畳み空間１４が形成され、折り畳み空間の中には弾性支持線材２が配置され、弾性支持線材には、左抵触部２１と、右抵触部２２と、弾性支持部２３が形成される。使用者がマスクを着用する場合、マスクの上下を引っ張り着用し、マスクが上下に引っ張られることで、左連結部と右連結部によって左抵触部と右抵触部が押し動かされ、弾性支持部が湾曲し、マスクの被覆部が押し動かされることで、被覆部と顔の間に区画空間が生成される。それにより、着用時の快適さが向上するとともに、弾性支持線材によりマスクの上下左右の部分における顔との密着性がより向上する。【選択図】図２
0003235021.tif 000002
【実用新案登録請求の範囲】
【請求項１】
マスクと、左連結部と、右連結部と、被覆部と、複数の折り畳み空間と、弾性支持線材と、左当接部と、右当接部と、弾性支持部からなるマスクにおける支持構造であって、
前記左連結部は、前記マスクに設けられるとともに、前記マスクの左側に位置し、
前記右連結部は、前記マスクに設けられるとともに、前記マスクの右側に位置し、
前記被覆部は、前記マスクに形成されるとともに、前記左連結部と前記右連結部の間に位置し、
前記複数の折り畳み空間は、前記被覆部に形成され、
前記弾性支持線材は、前記些折り畳み空間の中に配置され、
前記左当接部は、前記弾性支持線材に形成されるとともに、前記左連結部に当接し、
前記右当接部は、前記弾性支持線材に形成されるとともに、前記右連結部に当接し、
前記弾性支持部は、前記弾性支持線材に形成されるとともに、前記左当接部と前記右当接部の間に位置することで、前記被覆部が押し動かされて区画空間が形成されることを特徴とする、マスクにおける支持構造。
【請求項２】
前記マスク及び前記弾性支持線材はいずれも平面状の場合、前記左当接部から前記右当接部の距離における好ましいパーセンテージ範囲は、前記左連結部から前記右連結部の距離の９５％から１０５％であることを特徴とする、請求項１に記載のマスクにおける支持構造。
【請求項３】
前記マスクは、平面部と、前記平面部の上端に折り曲げられて形成される第１上部折り曲げ部と、前記第１上部折り曲げ部の一側に延在して形成される第１上部拡張部と、前記第１上部拡張部の端部に折り曲げられて形成される第２上部折り曲げ部と、前記第２上部折り曲げ部の一側に延在して形成される第２上部拡張部と、前記平面部の下端に折り曲げられて形成される第１下部折り曲げ部と、前記第１下部折り曲げ部の一側に延在して形成される第１下部拡張部と、前記第１下部拡張部の端部に折り曲げられて形成される第２下部折り曲げ部と、前記第２下部折り曲げ部の一側に延在して形成される第２下部拡張部を備えることを特徴とする、請求項１に記載のマスクにおける支持構造。
【請求項４】
前記平面部の幅は平面幅と定義するとともに、前記平面部における中心部を平面中心線と定義し、前記第２上部拡張部の幅を上部折りたたみ幅と定義し、前記第２下部拡張部の幅を下部折りたたみ幅と定義し、さらに、前記第２上部拡張部と前記第２下部拡張部の最長距離を、前記マスクの全幅と定義するとともに、前記マスクの全幅の中心部を前記マスクの中心線と定義し、前記平面中心線と前記マスクの中心線の距離の長さを、移動幅と定義し、そのうち、前記マスクの全幅に相対する前記平面幅のパーセンテージ範囲は、４２％から６４％であり、前記マスクの全幅に相対する前記上部折りたたみ幅のパーセンテージ範囲は、４２％から４８％であり、前記マスクの全幅に相対する前記下部折りたたみ幅のパーセンテージ範囲は、３１％から３９％であり、前記平面中心線の位置は、前記マスクの中心線より低いとともに、前記マスクの全幅に相対する前記移動幅のパーセンテージ範囲は、２％から１０％であることを特徴とする、請求項３に記載のマスクにおける支持構造。
【請求項５】
前記弾性支持線材は、拡張空間を備えることを特徴とする、請求項１に記載のマスクにおける支持構造。
【考案の詳細な説明】
【技術分野】
【０００１】
本考案は、マスクにおける支持構造に関し、特に、より快適に着用できるマスクにおける支持構造に関する。
【背景技術】
【０００２】
マスクの主な機能は、着用者が空気中の有害な成分を吸い込むのを防ぐことであり、そのほとんどは、煙、蒸気、気体、及び、浮遊粒子（ほこりや空気感染する感染症の微生物等）を遮断するのに用いられる。通常、一般の人々は空気の質が悪い時、自動二輪車に乗る時、風邪を引いた際、または、病院等に出入りする際にマスクを着用するが、大規模な疫病の流行が生じた地域または時期には、外出時のマスク着用はほとんどの人にとって標準装備となる。
【０００３】
マスクを着用すると口や鼻が覆われるため、長時間マスクを着用すると不快感を与えやすく、特に、マスクの内層が顔に接触するとより不快に感じやすいとともに、口紅、唾液等がマスクの内層に付着すると不快に感じるだけではなく、それらが顔につく場合もある。
【０００４】
従って、多くのマスクにはマスクと顔の間のスペースを仕切るためのブラケットが設けられているか、マスクを折り曲げることができるようにマスク内部に直接弾性シートが設けられているが、マスクは使い捨て商品であるため、マスク内部に直接弾性シートを設けると製造コストが高くなってしまう。また、決まった形のブラケットを利用する場合、顔の形に合わせて調整することができないとともに、ブラケットのほとんどは挟持する方法でマスクの内部に固定されるため、固定するのにも手間がかかってしまう。
【考案の概要】
【考案が解決しようとする課題】
【０００５】
本考案は、弾性支持線材を利用してマスクを押し動かすことで、使用上の快適さ及び利便性を向上させることができるとともに、マスクの上下左右の部位をより顔に密着させることのできるマスクにおける支持構造を提供することを目的とする。
【課題を解決するための手段】
【０００６】
上述の目的を達成するため、本考案の主な構造は、マスクと、マスクに設けられるとともにマスクの左側に位置する左連結部と、マスクに設けられるとともにマスクの右側に位置する右連結部と、マスクに形成されるとともに左連結部と右連結部の間に位置する被覆部と、被覆部に形成される複数の折り畳み空間と、折り畳み空間の中に配置される弾性支持線材と、弾性支持線材に形成される左当接部と、弾性支持線材に形成される右当接部と、弾性支持線材に形成されるとともに左当接部と右当接部の間に位置する弾性支持部とからなる。
【考案の効果】
【０００７】
上述の構造により、使用者は、弾性支持線材をマスクの折り畳み空間の中に直接配置するとともに、マスク上下の両側部分を引っ張ってからマスクを着用することで、使用者の顔の形に合わせてマスクが被覆される效果が達成される。
【０００８】
さらに、マスク上下の両側が引っ張られることで、左連結部と右連結部が互いに近づき、それにより、弾性支持線材の左当接部と右当接部が押し動かされて、湾曲弾性支持部も動かされ、弾性支持部は外側に折り曲げられることでマスクの被覆部を押し動かし、それにより、区画空間が生成されることで、被覆部は使用者の顔に直接接触しない。
【０００９】
このように使用上の快適さを向上させることができるとともに、弾性支持線材は折り畳み空間の中に直接配置することができ、使用後、取り出して繰り返し使用することができるため、製造コストを抑えることができる。さらに、弾性支持線材は、使用者の様々な顔の形及び様々な種類のマスクに合わせることができるため、使用上の利便性を大幅に向上させることができると同時に、弾性支持線材の湾曲效果を併せることで、マスクの上下左右の各部位がより顔にフィットするようにできる。
【００１０】
上述の技術により、従来のマスクブラケットにおける使用上の手間を解決することで、上述の長所における実用進歩性が達成される。
【図面の簡単な説明】
【００１１】
【図１】本考案の好ましい実施例における斜視透視図である。
【図２】本考案の好ましい実施例における分解図である。
【図３】本考案の好ましい実施例における引っ張った状態を示した図である。
【図４】本考案の好ましい実施例における着用した状態を示した図である。
【図５】本考案の別の好ましい実施例における斜視透視図である。
【図６】本考案の別の好ましい実施例におけるマスクの断面図である。
【図７】本考案の別の好ましい実施例における分解図である。
【図８】本考案の別の好ましい実施例における引っ張った状態を示した図である。
【図９】本考案のさらに別の好ましい実施例における斜視透視図である。
【図１０】本考案のさらに別の好ましい実施例におけるマスクの断面図である。
【図１１】本考案のさらに別の好ましい実施例における分解図である。
【図１２】本考案のさらに別の好ましい実施例における斜視透視図である。
【図１３】本考案のさらに別の好ましい実施例におけるマスクの断面図である。
【図１４】本考案のさらに別の好ましい実施例における分解図である。
【考案を実施するための形態】
【００１２】
参照する図１から図４は、本考案の好ましい実施例における斜視透視図から、本考案の好ましい実施例における着用した状態を示した図までであり、図から明らかな通り、本考案は、マスク１と、左連結部１１と、右連結部１２と、被覆部１３と、複数の折り畳み空間１４と、弾性支持線材２と、左当接部２１と、右当接部２２と、弾性支持部２３とからなる。
【００１３】
左連結部１１は、マスク１に設けられるとともにマスク１の左側に位置する。
【００１４】
右連結部１２は、マスク１に設けられるとともにマスク１の右側に位置し、マスク１は、いずれも複数層のシート体からなるため、左右両側に各シート体が連結され、それにより、左連結部１１と右連結部１２が形成される。本実施例における左連結部１１及び右連結部１２は、ホットメルト接着を例とする。
【００１５】
被覆部１３は、マスク１に形成されるとともに左連結部１１と右連結部１２の間に位置する。
【００１６】
複数の折り畳み空間１４は、被覆部１３に形成される。
【００１７】
弾性支持線材２は、折り畳み空間１４の中に配置され、本実施例では、例としてそのうちの１つの折り畳み空間１４の中に配置される。
【００１８】
左当接部２１は、弾性支持線材２に形成される。
【００１９】
右当接部２２は、弾性支持線材２に形成される。
【００２０】
弾性支持部２３は、弾性支持線材２に形成されるとともに、弾性支持部２３は、左当接部２１と右当接部２２の間に位置する。
【００２１】
上述の説明により、本技術の構造を理解することができ、この構造に基づいて対応係合させることで、使用における快適さと利便性が達成されるとともに、製造コストを低減することができる。以下に詳細を説明する。
【００２２】
上述の内容から分かる通り、使用者は、弾性支持線材２を折り畳み空間１４の中に先に配置するとともに、左当接部２１が左連結部１１の側部に位置するようにし、右当接部２２が右連結部１２の側部に位置するようにする。さらに、前記マスク１及び前記弾性支持線材２はいずれも平面状の場合、前記左当接部２１から右当接部２２の距離における好ましいパーセンテージ範囲は、前記左連結部１１から右連結部１２の距離の９５％から１０５％であり、本実施例では、例として長さはいずれも１６０ｍｍとする。
【００２３】
使用者がマスク１を使用する場合、マスク１の上下両側を引っ張ることで、マスク１によって口と鼻の部分が完全に被覆されるとともに、マスク１の面積は決められているため、マスク１が平面状において上下両側に引っ張られると、マスク１は立体的になり、それにより、左連結部１１と右連結部１２が相互に近づく。この時、左連結部１１は左当接部２１を押し動かし、右連結部１２は右当接部２２を押し動かすことで、弾性支持線材２に力が加わり折り曲げられ、それにより、弾性支持部２３が折り曲げられる。この際、使用者は指で弾性支持部２３を軽く動かすだけで、外側に力が加えられ、弾性支持部２３によってマスク１の被覆部１３が押し動かされて、使用者の顔から離れた方向に湾曲する。このように、マスク１を着用すると、被覆部１３と顔の間に区画空間１５が生成される。
【００２４】
さらに、使用者は、折り畳み空間１４の中に配置された弾性支持線材２のみによりマスク１を押し動かし、区画空間１４を生じさせ、マスク１が顔や口と鼻の部分に貼り付かないようにすることができるため、使用上の快適さが向上する。さらに、弾性支持線材２の中の弾性支持部２３が折り曲げられると、弾性支持線材２により前方方向に力が加えられ、反対に、左当接部２１と右当接部２２には反発する力が加えられるとともに、マスク１の面積は決められているため、中心部が前方に押し動かされると、それにより、左右両側が顔によりフィットすることで、マスキング効果がより高まる。さらに、図５に示す通り、同時に、マスク１の上下両側を動かして口と鼻の部分によりフィットさせることで、密封效果が高められ、使用上の安全性が向上する。全体的な動作は、一般にマスクを着用する際の動作と同じであるため、新たな動作または特殊な構造のいずれも必要がなく、使用する上で非常に便利である。さらに、折り畳み空間１４の中に直接配置するため、非常に簡単に使用することができるとともに、連結動作が一切必要ないため、取り付けも比較的容易に且つ素早く行うことができ、係合するまたは挟持することで固定するブラケットと比較して、位置決め效果もより優れている。弾性支持線材２自体の弾力によって区画空間１４が生成されるため、すべてのマスク１の折り畳み空間１４の中に弾性支持線材２を配置することができ、それにより、各種マスク１と様々な顔の形に対応できるため、より便利に使用することができる。さらに、マスク１を交換する際には、弾性支持線材２を取り外して繰り返し使用することができるため、製造コストを抑えることができる。
【００２５】
さらに、同時に図５から図８を併せて参照する。図５から図８は、本考案の別の好ましい実施例における斜視透視図から、本考案の別の好ましい実施例における引っ張った状態を示した図までである。図から明らかな通り、本実施例と上述の実施例はほぼ同じであるが、本実施例において、弾性支持線材２ａは拡張空間２４ａを備え、弾性支持線材２ａが顔の口と鼻の位置に当たらないようにすることができることで、使用上の快適さを向上させることができると同時に、左当接部２１ａと右当接部２２ａの幅を広げることができることで、折り畳み空間１４ａ内に設置する際の固定效果をより高めることができる。
【００２６】
さらに、前記マスク１ａは、平面部３ａと、前記平面部３ａの上端に折り曲げられて形成される第１上部折り曲げ部３１ａと、前記第１上部折り曲げ部３１ａの一側に延在して形成される第１上部拡張部３２ａと、前記第１上部拡張部３２ａの端部に折り曲げられて形成される第２上部折り曲げ部３３ａと、前記第２上部折り曲げ部３３ａの一側に延在して形成される第２上部拡張部３４ａと、前記平面部３ａの下端に折り曲げられて形成される第１下部折り曲げ部３５ａと、前記第１下部折り曲げ部３５ａの一側に延在して形成される第１下部拡張部３６ａと、前記第１下部拡張部３６ａの端部に折り曲げられて形成される第２下部折り曲げ部３７ａと、前記第２下部折り曲げ部３７ａの一側に延在して形成される第２下部拡張部３８ａを備える。前記平面部３ａの幅は平面幅と定義するとともに、前記平面部３ａにおける中心部を平面中心線と定義し、前記第２上部拡張部３４ａの幅を上部折りたたみ幅と定義し、前記第２下部拡張部３８ａの幅を下部折りたたみ幅と定義する。さらに、前記第２上部拡張部３４ａと前記第２下部拡張部３８ａの最長距離は、マスク１ａの全幅と定義するとともに、前記マスク１ａの全幅の中心部をマスク１ａの中心線と定義し、前記平面中心線と前記マスク１ａの中心線の距離の長さは、移動幅と定義する。そのうち、前記マスク１ａの全幅に相対する前記平面幅のパーセンテージ範囲は、４２％から６４％であり、前記マスク１ａの全幅に相対する前記上部折りたたみ幅のパーセンテージ範囲は、４２％から４８％であり、前記マスク１ａの全幅に相対する前記下部折りたたみ幅のパーセンテージ範囲は、３１％から３９％であり、前記平面中心線の位置は、前記マスク１ａの中心線より低いとともに、前記マスク１ａの全幅に相対する前記移動幅のパーセンテージ範囲は、２％から１０％である。
【００２７】
このように、第１上部折り曲げ部３１ａと第２上部折り曲げ部３３ａの間には、折り畳み空間１４ａが形成され、第１下部折り曲げ部３５ａと第２下部折り曲げ部３７ａの間にも、折り畳み空間１４ａが形成されることで、弾性支持線材２ａを折り畳み空間１４ａ内に配置することができる。なお、本実施例では、例として、弾性支持線材２ａは２つの折り畳み空間１４ａの中に同時に当接するものとすることで、弾性支持線材２ａは、第１上部折り曲げ部３１ａと第１下部折り曲げ部３５ａの間に位置する。
【００２８】
このように、平面部３ａに連結される図形、ロゴマーク、広告コンテンツ等の図案は、折り畳まれる部分の影響を全く受けないため、図案の完全性及び視覚的美しさを大幅に向上させることができるとともに、折り畳まれると、実際には平面部３ａと第２上部拡張部３４ａ（または、第２下部拡張部３８ａ）の２層のみであるため、左右両側が溶接により固定されると、広げる動作は溶接による影響をほぼ受けない。そのため、第１上部拡張部３２ａ及び第２上部拡張部３４ａ（または、第１下部拡張部３６ａ及び第２下部拡張部３８ａ）を簡単に広げることができる。また、第１上部拡張部３２ａ、第２上部拡張部３４ａ、第１下部拡張部３６ａ、及び、第２下部拡張部３８ａにより平面部３ａが支えられ、弾性支持線材２ａによって生成される区画空間と組み合わされることで、第１上部拡張部３２ａ及び第２上部拡張部３４ａ（または、第１下部拡張部３６ａ及び第２下部拡張部３８ａ）と平面部３ａの間には比較的大きな呼吸空間が形成され、より楽に呼吸することができる。
【００２９】
さらに、同時に図９から図１１を併せて参照する。図９から図１１は、本考案のさらに別の好ましい実施例における斜視透視図から、本考案のさらに別の好ましい実施例における分解図までである。図から明らかな通り、本実施例と上述の実施例はほぼ同じであるが、本実施例において、平面部３ｂの平面幅は、マスク１ｂの幅と同じであることで、平面部３ｂの面積が広げられ、それにより、図柄を設けることのできる面積も広げられるとともに、弾性支持線材２ｂにより快適さを高める効果も達成される。
【００３０】
さらに、同時に図１２から図１４を併せて参照する。図１２から図１４は、本考案のさらに別の好ましい実施例における斜視透視図から、本考案のさらに別の好ましい実施例における分解図までである。図から明らかな通り、本実施例と上述の実施例はほぼ同じであるが、本実施例において、マスク１ｃは、折り畳まれることで複数層の状態となるとともに、弾性支持線材２ｃは、同じ形態のマスク１ｃの折り畳み空間１４ｃの中に同様に配置できることから明らかな通り、本考案の弾性支持線材２ｃは、各種形態のマスク１ｃに対応することができる
【符号の説明】
【００３１】
１、１ａ、１ｂ、１ｃ  マスク    
１１  左連結部    
１２  右連結部    
１３  被覆部    
１４、１４ａ、１４ｃ  折り畳み空間    
１５  区画空間    
２、２ａ、２ｂ、２ｃ  弾性支持線材    
２１、２１ａ  左抵触部    
２２、２２ａ  右抵触部    
２３  弾性支持部    
２４ａ  拡張空間    
３ａ、３ｂ  平面部    
３１ａ  第１上部折り曲げ部    
３２ａ  第１上部拡張部    
３３ａ  第２上部折り曲げ部    
３４ａ  第２上部拡張部    
３５ａ  第１下部折り曲げ部    
３６ａ  第１下部拡張部    
３７ａ  第２下部折り曲げ部    
３８ａ  第２下部拡張部
【図１】
0003235021.tif 000003
【図２】
0003235021.tif 000004
【図３】
0003235021.tif 000005
【図４】
0003235021.tif 000006
【図５】
0003235021.tif 000007
【図６】
0003235021.tif 000008
【図７】
0003235021.tif 000009
【図８】
0003235021.tif 000010
【図９】
0003235021.tif 000011
【図１０】
0003235021.tif 000012
【図１１】
0003235021.tif 000013
【図１２】
0003235021.tif 000014
【図１３】
0003235021.tif 000015
【図１４】
0003235021.tif 000016